(57)【特許請求の範囲】
【請求項１】
基礎または床から上方に突出するアンカーボルトまたは緊結ボルトに断面矩形状の柱部材の下端部が結合金物によって結合された柱構造であって、
前記結合金物は、前記アンカーボルトまたは緊結ボルトの上端部が締結された金物本体と、この金物本体の側面から立ち上がる側板部とを備え、
前記柱部材の側面下端部には、前記側板部の厚さと略等しい深さに窪んだ取付面が形成され、
前記金物本体の上面に前記柱部材の下端面が当接されるとともに、前記側板部に前記取付面が固定されることにより、前記側板部の表面と前記柱部材の側面とが面一になっており、
前記側板部は、その幅を当該側板部が固定される前記柱部材の側面の幅より小さくすることによって、当該側面の両側に釘打ち代を残して前記取付面に固定され、
前記柱部材の前記側面に、構造部材がその下端部を前記側板部に当接させるとともにその他の部分を前記柱部材に当接させた状態で固定され、当該下端部はこれを通して釘を前記釘打ち代に打ち込むことによって固定されていることを特徴とする柱構造。
【請求項２】
請求項１に記載の柱構造において、
前記金物本体は断面ロ字形に形成され、その下壁部に前記アンカーボルトまたは緊結ボルトの上端部が挿通されてナットによって締結され、
前記金物本体の対向する側面からそれぞれ一対の前記側板部が立ち上がり、
この一対の側板部に前記柱部材の対向する側面がそれぞれ固定され、
この柱部材の対向する側面にそれぞれ前記構造部材が固定されていることを特徴とする柱構造。
【請求項３】
請求項２に記載の柱構造において、
前記結合金物は、その金物本体の開口部を前記基礎の厚さ方向または前記床の奥行き方向に向けて配置されていることを特徴とする柱構造。
【請求項４】
請求項１〜３のいずれか一項に記載の柱構造において、
前記構造部材は前記柱部材の長手方向に沿って長尺な角材であり、前記構造部材の上端面は前記柱部材の上端面より低くなっていることを特徴とすることを特徴とする柱構造。
【請求項５】
請求項１〜４のいずれか一項に記載の柱構造において、
床から上方に突出する前記緊結ボルトの上端部に前記柱部材の下端部が前記結合金物によって結合されており、
前記柱部材を上側柱部材とし、前記床の下方に断面矩形状の下側柱部材が前記上側柱部材と同軸に配置され、
前記緊結ボルトの下端部が前記床から下方に突出し、この緊結ボルトの下端部に前記下側柱部材の上端部が、前記結合金物と同じ結合金物を上下反転してなる反転結合金物によって結合され、
前記反転結合金物は、前記緊結ボルトの下端部が締結された金物本体と、この金物本体の側面から垂れ下がる側板部とを備え、
前記金物本体の下面に前記下側柱部材の上端面が当接されるとともに、前記側板部に前記下側柱部材の上端部の側面が固定され、
前記側板部は、その幅を当該側板部が固定される前記下側柱部材の側面の幅より小さくすることによって、当該側面の両側に釘打ち代を残してこの側面に固定され、
前記下側柱部材の前記側面に、構造部材がその一部を前記側板部に重ねて固定され、当該一部はこれを通して釘を前記釘打ち代に打ち込むことによって固定されていることを特徴とする柱構造。
【発明の詳細な説明】
【技術分野】
【０００１】
本発明は、基礎等から上方に突出するアンカーボルトに柱部材の下端部が結合金物によって結合された柱構造に関する。
【背景技術】
【０００２】
基礎から上方に突出するアンカーボルトに柱部材の下端部が結合金物によって結合された柱構造の一例として特許文献１に記載の技術が知られている。
この技術は、基礎上に床パネルが敷設され、この床パネル上に壁パネルが立設されるパネル工法において、前記壁パネルと隣接して前記床パネル上に立設される補強柱（柱部材）と、この補強柱の立設位置で前記基礎に埋設されて前記床パネル上に突出するアンカーボルトと、前記アンカーボルトを挿通する取付穴を有してナットによって前記床パネルに固定される底板部と、この底板部から屈曲起立して前記補強柱の側面に面接触し複数の固着穴を有して固着手段によって前記補強柱を固定する側板部と、を有する結合金物と、前記結合金物の前記底板部に設置され、前記アンカーボルトを避けてこのアンカーボルトの上方で前記補強柱の下端面を載置して支持する柱載置金物と、を含むことを特徴としている。
【先行技術文献】
【特許文献】
【０００３】
【特許文献１】特開平７−１９７５２２号公報
【発明の概要】
【発明が解決しようとする課題】
【０００４】
ところで、前記特許文献１には、補強柱（柱部材）に壁パネル等の壁部材、まぐさ等の横架材等の構造部材をどのようにして接合しているかについては開示されていない。
補強柱の対向する両側面には、結合金物の側板部が面接触しているので、上記のような壁部材や横架材等の構造部材を補強柱に釘等によって接合する場合、この側板部が釘に干渉して、釘を容易に打ち込むことができない。
【０００５】
本発明は上記事情に鑑みてなされたもので、柱部材に壁部材や横架材等の構造部材を容易かつ確実に接合できる柱構造を提供することを課題としている。
【課題を解決するための手段】
【０００６】
上記課題を解決するために、請求項１に記載の発明は、例えば図１〜図６に示すように、基礎１または床２０から上方に突出するアンカーボルト２または緊結ボルト２２に断面矩形状の柱部材３の下端部が結合金物４によって結合された柱構造であって、
前記結合金物４は、前記アンカーボルト２または緊結ボルト２２の上端部が締結された金物本体１０と、この金物本体１０の側面から立ち上がる側板部１１とを備え、
前記柱部材３の側面下端部には、前記側板部１１の厚さと略等しい深さに窪んだ取付面３ｂが形成され、
前記金物本体１０の上面に前記柱部材３の下端面が当接されるとともに、前記側板部１１に前記取付面３ｂが固定されることにより、前記側板部１１の表面と前記柱部材３の側面３ａとが面一になっており、
前記側板部１１は、その幅を当該側板部１１が固定される前記柱部材３の側面３ａの幅より小さくすることによって、当該側面３ａの両側に釘打ち代３ｄ,３ｄを残して前記取付面３ｂに固定され、
前記柱部材３の前記側面３ａに、構造部材１５,２５がその下端部を前記側板部１１に当接させるとともにその他の部分を前記柱部材３に当接させた状態で固定され、当該下端部はこれを通して釘１６を前記釘打ち代３ｄ,３ｄに打ち込むことによって固定されていることを特徴とする。
【０００７】
請求項１に記載の発明によれば、結合金物４の側板部１１がその幅を当該側板部１１が固定される前記柱部材３の側面３ａの幅より小さくすることによって、当該側面３ａの両側に釘打ち代３ｄ,３ｄを残してこの側面３ａに固定され、前記柱部材３の前記側面３ａに、構造部材１５,２５がその一部を前記側板部１１に重ねて固定され、当該一部はこれを通して釘１６を前記釘打ち代３ｄ,３ｄに打ち込むことによって固定されているので、柱部材３の側面３ａに構造部材１５,２５を容易かつ確実に接合できる。
【０００８】
請求項２に記載の発明は、請求項１に記載の柱構造において、
前記金物本体１０は断面ロ字形に形成され、その下壁部１０ｂに前記アンカーボルト２または緊結ボルト２２の上端部が挿通されてナット１２によって締結され、
前記金物本体１０の対向する側面からそれぞれ一対の前記側板部１１,１１が立ち上がり、
この一対の側板部１１,１１に前記柱部材３の対向する側面３ａ,３ａがそれぞれ固定され、
この柱部材３の対向する側面３ａ,３ａにそれぞれ前記構造部材１５,２５が固定されていることを特徴とする。
【０００９】
請求項２に記載の発明によれば、金物本体１０の対向する側面からそれぞれ立ち上がる一対の側板部１１,１１に柱部材３の対向する側面３ａ,３ａがそれぞれ固定されているので、柱部材３に結合金物４を安定的かつ強固に取り付けることができる。また、柱部材３の対向する側面３ａ,３ａにそれぞれ構造部材１５,１５が固定されているので、この構造部材１５,１５によって柱部材３を補強できる。
【００１０】
請求項３に記載の発明は、請求項２に記載の柱構造において、
前記結合金物４は、その金物本体１０の開口部１０ｃを前記基礎１の厚さ方向または前記床８,２０の奥行き方向に向けて配置されていることを特徴とする。
【００１１】
請求項３に記載の発明によれば、金物本体１０の開口部１１ｃを基礎１の厚さ方向または床８,２０の奥行き方向に向けているので、基礎１の前面側や床８,２０の奥側から、アンカーボルト２または緊結ボルト２２の上端部にナット１２を螺合して締め付けることができる。
【００１２】
請求項４に記載の発明は、請求項１〜３のいずれか一項に記載の柱構造において、
前記構造部材１５は前記柱部材３の長手方向に沿って長尺な角材であり、前記構造部材１５の上端面は前記柱部材３の上端面より低くなっていることを特徴とする。
【００１３】
請求項４に記載の発明によれば、柱部材３の長手方向に沿って長尺な角材である構造部材１５の上端面が柱部材３の上端面より低くなっているので、この構造部材１５の上端面によって、柱部材３の上端部に接合された壁（垂れ壁）２５やまぐさ等の横架材を下方から支持できる。
【００１４】
請求項５に記載の発明は、例えば図５および図６に示すように、請求項１〜４のいずれか一項に記載の柱構造において、
床２０から上方に突出する前記緊結ボルト２２の上端部に前記柱部材３の下端部が前記結合金物４によって結合されており、
前記柱部材３を上側柱部材３として、前記床２０の下方に断面矩形状の下側柱部材３が前記上側柱部材３と同軸に配置され、
前記緊結ボルト２２の下端部が前記床２０から下方に突出し、この緊結ボルト２２の下端部に前記下側柱部材３の上端部が、前記結合金物４と同じ結合金物を上下反転してなる反転結合金物２４によって結合され、
前記反転結合金物２４は、前記緊結ボルト２２の下端部が締結された金物本体１０と、この金物本体１０の側面から垂れ下がる側板部１１,１１とを備え、
前記金物本体１０の下面に前記下側柱部材３の上端面が当接されるとともに、前記側板部１１に前記下側柱部材３の上端部の側面が固定され、
前記側板部１１は、その幅を当該側板部１１が固定される前記下側柱部材３の側面３ａの幅より小さくすることによって、当該側面３ａの両側に釘打ち代３ｄ,３ｄを残してこの側面３ａに固定され、
前記下側柱部材３の前記側面３ａに、構造部材２５がその一部を前記側板部１１に重ねて固定され、当該一部はこれを通して釘１６を前記釘打ち代３ｄ,３ｄに打ち込むことによって固定されていることを特徴とする。
【００１５】
請求項５に記載の発明によれば、上側柱部材３と下側柱部材３とが床２０を挟んで上下に配置され、上側柱部材３の下端部が床２０に挿通され当該床２０から上方に突出する緊結ボルト２２の上端部に結合金物４によって結合され、下側柱部材３の上端部が前記床２０から下方に突出する前記緊結ボルト２２の下端部に反転結合金物２４によって結合されているので、上側柱部材３と下側柱部材３とを確実に連結することができる。また、反転結合金物２４は、結合金物４と同じ結合金物を上下に反転したものであるので、別途反転結合金物を製造する必要がないので、コスト軽減を図れる。
【発明の効果】
【００１６】
本発明によれば、結合金物の側板部がその幅を当該側板部が固定される前記柱部材の側面の幅より小さくすることによって、当該側面の両側に釘打ち代を残してこの側面に固定され、前記柱部材の前記側面に、構造部材がその一部を前記側板部に重ねて固定され、当該一部はこれを通して釘を前記釘打ち代に打ち込むことによって固定されているので、柱部材の側面に構造部材を容易かつ確実に接合できる。
【図面の簡単な説明】
【００１７】
【図１】本発明に係る柱構造の一例を示すもので、その分解斜視図である。
【図２】同、正面図である。
【図３】同、柱部材と構造部材を示す平断面図である。
【図４】同、結合金物の斜視図である。
【図５】同、上下の柱部材を連結した構造を示す分解斜視図である。
【図６】同、上下の柱部材を連結した構造を示す正面図である。
【発明を実施するための形態】
【００１８】
以下、図面を参照して本発明の実施の形態について説明する。
図１は本発明に係る柱構造の一例を示す分解斜視図、図２は同柱構造の正面図である。
本実施の形態の柱構造では、基礎１から上方に突出するアンカーボルト２に柱部材３の下端部が結合金物４によって結合されている。
基礎１は布基礎であり、この基礎１にはアンカーボルト２が埋設され、このアンカーボルト２の上端部が基礎１の上面から突出している。基礎１の上面には換気台輪５が設置されている。換気台輪５には上下に貫通する長孔５ａが換気台輪５の長手方向に所定間隔で形成されており、この長孔５ａに前記アンカーボルト２の上端部が下方から挿通されて、当該上端部が換気台輪５の上面から突出している。なお、換気台輪５には、床下換気用の多数の換気孔５ｂが形成されている。
【００１９】
基礎１の上面には前記換気台輪５を介して建物の１階の床を構成する床パネル６の側縁部と半土台７とが設置されている。床パネル６は框材を矩形枠状に組み立ててなる枠体の上面に合板等からなる面材を取り付けてなるものであり、枠体の内部には必要に応じて補強桟材が縦横に組み付けられている。半土台７は通常の土台の半分の厚さを有するものであり、正角材の半分の厚さの反割材によって形成されている。半土台７と床パネル６とは換気台輪５の上面側において互いに当接しており、当該当接部には上下に貫通する孔が形成され、この孔に前記換気台輪５の上面から突出するアンカーボルト２の上端部が下方から挿通されて、当該上端部が床パネル６および半土台７の接合部の上面から突出している。このようにして、アンカーボルト２は１階の床８の上面から突出している。
【００２０】
床８の上面から突出しているアンカーボルト２の上端部には、前記結合金物４が締結されている。
結合金物４は、図４に示すように、金物本体１０と、この金物本体１０の対向する側面から立ち上がる一対の側板部１１,１１とを備えている。
金物本体１０は、左右の側壁部、上壁部１０ａ、下壁部１０ｂで構成された断面ロ字形に形成された、全体として矩形箱状のものである。下壁部１０ｂは床８の上面に設置されており、下壁部１０ｂの略中央部に貫通孔が形成されている。この貫通孔に前記アンカーボルト２の上端部が挿通されたうえで、ナット１２を金物本体１０の開口部１０ｃから挿入して螺合して締め付けることによって、下壁部１０ｂが床８の上面に固定されている。
また、金物本体１０はその開口部１０ｃを基礎１の厚さ方向に向けて床８の上面に固定されている。
【００２１】
側板部１１の下端部には固定板１１ａが側板部１１と一体的に形成されており、この固定板１１ａが金物本体１０の側壁部に溶接等によって固定されている。側板部１１の幅は固定板１１ａの幅より若干小さくなっており、この側板部１１には複数の孔１１ｃが形成されている。
【００２２】
前記柱部材３は、図１および図３に示すように、断面正方形状の角材によって形成されており、その対向する左右の側面３ａ,３ａの下端部には、上下に長い矩形状の凹んだ取付面３ｂ,３ｂが形成されている。取付面３ｂの深さは前記側板部１１の厚さとほぼ等しいか、それより若干深くなっている。また、取付面３ｂの下端は柱部材３の下端面まで達している。
そして、柱部材３は前記側板部１１,１１の間に挿入されたうえで、柱部材３の下端面３ｃが金物本体１０の上面、つまり上壁部１０ａの上面に当接されている。また、柱部材３の左右両側面３ａ,３ａの取付面３ｂ,３ｂが側板部１１,１１に当接されている。つまり、側板部１１,１１に柱部材３の下端部の側面３ａ（取付面３ｂ）が当接されている。そして、側板部１１に形成された複数の孔１１ｃにそれぞれ釘１３を挿通して柱部材３に打ち込むことによって、側板部１１,１１に柱部材３の下端部の側面３ａ,３ａが固定されている。この状態において、側板部１１の表面と柱部材３の側面３ａとはほぼ面一となっている。
【００２３】
前記側板部１１の幅は、柱部材３の側面３ａの幅より小さくなっており、これによって、側板部１１は柱部材３の側面３ａの両側に釘打ち代３ｄ,３ｄを残してこの側面３ａ（取付面３ｂ）に固定されている。この釘打ち代３ｄ,３ｄは前記取付面３ｂの外側の位置する側面３ａ,３ａによって構成されている。
前記柱部材３の側面３ａ,３ａには、構造部材１５,１５がその一部を前記側板部１１に重ねて固定されている。
すなわち、構造部材１５は正角材を反割にした反割材で構成されており、柱部材３の長手方向に長尺な角材となっている。構造部材１５の側面の幅は柱部材３の側面３ａの幅と等しくなっている。
【００２４】
このような構造部材１５は、その下端部（その一部）を側板部１１に重ねて柱部材３の側面３ａに固定され、当該構造部材１５の下端部はこれを通してスクリュー釘１６を前記釘打ち代３ｄに打ち込むことによって固定されている。また、構造部材１５の、前記側板部１１より上方の部位はスクリュー釘１６によって側面３ａに固定されている。また、側面３ａには接着剤が塗布されており、この接着剤によっても構造部材１５が側面３ａに固定されている。つまり、構造部材１５は釘打ちと接着剤の双方によって柱部材３の側面３ａに固定されている。
また、構造部材１５を柱部材３の側面３ａに固定した状態において、この構造部材１５の下端面は床８の上面に当接されており、構造部材１５の上端面は、図５および図６に示すように、柱部材３の上端面より低くなっている。
【００２５】
図５および図６に示すように、前記柱部材３の上方には２階の床２０が配置されている。この床２０は１階の床８と同様に床パネルによって構成されており、床２０上には柱部材（上側柱部材）３が前記柱部材（下側柱部材）３と同軸に配置されている。
２階の床２０には、緊結ボルト２２が挿通されており、この緊結ボルト２２の上端部は床２０から上方に突出しており、下端部は床２０から下方に突出している。
２階の床２０から上方に突出する緊結ボルト２２の上端部には上側柱部材３の下端部が結合金物４によって結合されている。この結合金物４による上側柱部材３と緊結ボルト２２との結合は、結合金物４による前記柱部材（下側柱部材）３とアンカーボルト２との結合と同様であるので、結合金物４、柱部材３、構造部材１５等の共通構成部分には同一符号を付してその説明を省略する。
【００２６】
２階の床２０から下方に突出する緊結ボルト２２の下端部には、柱部材（下側柱部材）３の上端部が、結合金物４と同じ結合金物を上下反転してなる反転結合金物２４によって結合されている。
反転結合金物２４は、金物本体１０と、この金物本体１０の対向する左右両側面から垂れ下がる一対の側板部１１,１１とを備えている。
金物本体１０は、左右の側壁部、下壁部１０ａ、上壁部１０ｂとで構成された断面ロ字形に形成された、全体として矩形箱状のものである。上壁部１０ｂは床２０の下面に当接されており、上壁部１０ｂの略中央部に貫通孔が形成されている。この貫通孔に前記緊結ボルト２２の下端部が挿通されたうえで、ナット１２を螺合して締め付けることによって、上壁部１０ｂが床２０の下面に固定されている。これによって、金物本体１０が床２０の下面に固定されている。したがって、２階の床２０の上面に固定された結合金物４と同床２０の下面に固定された反転結合金物２４とは緊結ボルト２２によって連結されている。
また、金物本体１０はその開口部１０ｃを床２０の奥行き方向に向けて床２０の下面に固定されている。
【００２７】
側板部１１の上端部には固定板１１ａが側板部１１と一体的に形成されており、この固定板１１ａが金物本体１０の側壁部に溶接等によって固定されている。側板部１１の幅は固定板１１ａの幅より若干小さくなっており、この側板部１１には複数の孔が形成されている。
【００２８】
下側柱部材３の対向する左右の側面３ａ,３ａの上端部には、上下に長い矩形状の凹んだ取付面が形成されている。取付面の深さは前記側板部１１の厚さとほぼ等しいか、それより若干深くなっている。また、取付面の上端は上側柱部材３の上端まで達している。
そして、下側柱部材３は前記側板部１１,１１の間に挿入されたうえで、下側柱部材３の上端面が金物本体１０の下面、つまり下壁部１０ａの下面に当接されている。また、下側柱部材３の左右両側面３ａ,３ａの取付面が側板部１１,１１に当接されている。つまり、側板部１１,１１に柱部材３の上端部の側面３ａ（取付面）が当接されている。そして、側板部１１に形成された複数の孔１１ｃにそれぞれ釘１３を挿通して下側柱部材３に打ち込むことによって、側板部１１,１１に柱部材３の上端部の側面３ａ,３ａが固定されている。この状態において、側板部１１の表面と下側柱部材３の側面３ａとはほぼ面一となっている。
【００２９】
前記側板部１１の幅は、下側柱部材３の側面３ａの幅より小さくなっており、これによって、側板部１１は柱部材３の側面３ａの両側に釘打ち代を残してこの側面３ａに固定されている。この釘打ち代は前記取付面の外側の位置する側面３ａ,３ａによって構成されている。
前記下側柱部材３の側面３ａ,３ａには、構造部材２５,２５としての垂れ壁２５,２５がその一部を前記側板部１１,１１に重ねて固定されている。
垂れ壁２５は壁パネル２５によって構成されている。壁パネル２５は框材２５ａを矩形枠状に組み立ててなる枠体の両面に合板等からなる面材２５ｂを取り付けたものであり、枠体の内側には必要に応じて補強桟材が組み付けられている。
垂れ壁（壁パネル）２５の側端面の幅は前記下側柱部材３の側面３ａと等しい幅となっている。
【００３０】
このような垂れ壁２５は、その側端面の略上半分（その一部）を側板部１１に重ねて下側柱部材３の側面３ａに固定され、当該略上半分はスクリュー釘１６を縦の框材２５ａを通して下側柱部材３の側面３ａの釘打ち代に打ち込むことによって当該下側柱部材３に接合されている。
なお、スクリュー釘１６を框材２５ａを通して下側柱部材３の釘打ち代３ｄ,３ｄに打ち込む場合、垂れ壁２５を構成する壁パネルの表面の面材２５ｂから框材２５ａを通してスクリュー釘１６を釘打ち代３ｄ,３ｄに斜め打ちしてもよいし、垂れ壁２５を構成する壁パネルの両面材２５ｂ,２５ｂのうち一方の面材２５ｂを外しておき、スクリュー釘１６を框材２５ａを通して釘打ち代３ｄ,３ｄに打ち込み、その後、前記一方の面材２５ｂを取り付けてもよい。
また、垂れ壁２５の、前記側板部１１より下方の部位はスクリュー釘１６によって側面３ａに固定されている。また、側面３ａには接着剤が塗布されており、この接着剤によっても垂れ壁２５が側面３ａに固定されている。つまり、垂れ壁２５は釘打ちと接着剤の双方によって下側柱部材３の側面３ａに固定されている。
さらに、垂れ壁２５,２５の端部下面は前記構造部材１５,１５の上端面に設置されている。
【００３１】
本実施の形態によれば、結合金物４の側板部１１がその幅を当該側板部１１が固定される柱部材３の側面３ａの幅より小さくすることによって、当該側面３ａの両側に釘打ち代３ｄ,３ｄを残してこの側面３ａに固定され、柱部材３の側面３ａに、構造部材１５がその下部を側板部１１に重ねて固定され、当該下端部はこれを通して釘１６を前記釘打ち代３ｄ,３ｄに打ち込むことによって固定されているので、柱部材３の側面３ａに構造部材１５を容易かつ確実に接合できる。
また、柱部材３の長手方向に沿って長尺な角材である構造部材１５の上端面が柱部材３の上端面より低くなっているので、この構造部材１５の上端面によって、柱部材３の上端部に接合された垂れ壁２５やまぐさ等の横架材を下方から支持できる。
【００３２】
さらに、金物本体１０の対向する側面からそれぞれ立ち上がる一対の側板部１１,１１に柱部材３の対向する側面３ａ,３ａがそれぞれ固定されているので、柱部材３に結合金物４を安定的かつ強固に取り付けることができる。また、柱部材３の対向する側面３ａ,３ａにそれぞれ構造部材１５,１５が固定されているので、この構造部材１５,１５によって柱部材３を補強できる。
また、結合金物４は、その金物本体１０の対向する開口部１０ｃを基礎１の厚さ方向に向けて配置されているので、基礎１の前面側から、アンカーボルト２の上端部にナット１２を螺合して締め付けることができる。
【００３３】
上側柱部材３と下側柱部材３とが床２０を挟んで上下に配置され、上側柱部材３の下端部が床２０に挿通され当該床２０から上方に突出する緊結ボルト２２に結合金物４によって結合され、下側柱部材３の上端部が前記床２０から下方に突出する緊結ボルト２２の下端部に反転結合金物２４によって結合されているので、上側柱部材３と下側柱部材３とを確実に連結することができる。また、反転結合金物２４は、結合金物４と同じ結合金物を上下に反転したものであるので、別途反転結合金物を製造する必要がないので、コスト軽減を図れる。
【００３４】
なお、本実施の形態では、柱部材３の側面に接合する構造部材として、上下に長尺な角材からなる構造部材１５や、壁パネルからなる垂れ壁を例にとって説明したが、構造部材としてはこれに限ることなく、例えば、隣り合う部屋どうしを仕切る壁、建物の外壁を構成する壁、まぐさ、梁等でもよい。
【符号の説明】
【００３５】
１  基礎
２  アンカーボルト
３  柱部材
３ａ  側面
３ｄ  釘打ち代
４  結合金物
１０  金物本体
１０ｂ  下壁部
１０ｃ  開口部
１１  側板部
１２  ナット
１５  構造部材
１６  スクリュー釘（釘）
２０  床
２２  緊結ボルト
２４  反転結合金物
２５  垂れ壁（構造部材）
【図１】
0005749663.tif 000002
【図２】
0005749663.tif 000003
【図３】
0005749663.tif 000004
【図４】
0005749663.tif 000005
【図５】
0005749663.tif 000006
【図６】
0005749663.tif 000007